(57)【特許請求の範囲】
【請求項１】
地上ディジタルテレビジョン放送のＴＭＣＣ信号を受信するＴＭＣＣ信号受信装置であって、
ＲＦ帯の受信信号を入力し、ＩＦ信号に変換して出力する受信回路と、
前記ＩＦ信号からＴＭＣＣ信号を復調し、前記ＴＭＣＣ信号に含まれるＴＭＣＣ情報を出力するとともに、前記ＩＦ信号から再生されるシンボルタイミング信号、及び前記ＴＭＣＣ情報から再生されるフレームタイミング信号を出力するＴＭＣＣ復調回路と、
前記ＴＭＣＣ復調回路から出力される少なくとも１フレーム期間のＴＭＣＣ情報を入力し、前記ＴＭＣＣ情報の短縮化差集合巡回符号を復号してＴＭＣＣ情報の誤りを訂正する誤り訂正回路と、
前記ＴＭＣＣ復調回路から供給されるＴＭＣＣ情報から該ＴＭＣＣ情報に含まれる所定の情報の変化を判定し、当該判定結果を判定情報として前記制御回路に出力するとともに、前記誤り訂正回路から供給される誤り訂正後のＴＭＣＣ情報の中から当該所定の情報を抽出して出力するＴＭＣＣ情報判定抽出回路と、
前記ＴＭＣＣ復調回路から供給されるシンボルタイミング信号及びフレームタイミング信号に基づいてフレーム間間欠受信動作を行うように前記受信回路の全体又は一部への電源供給を制御するとともに、前記ＴＭＣＣ情報判定抽出回路から供給される前記所定の情報が変化した旨を示す判定情報に従って、前記誤り訂正回路を動作状態とするように前記誤り訂正回路の全体又は一部への電源供給を制御する制御回路と、
を備えることを特徴とするＴＭＣＣ信号受信装置。
【請求項２】
請求項１に記載のＴＭＣＣ信号受信装置において、
前記制御回路は、前記所定の情報が変化した旨を示すまで前記所定の情報を受信するタイミングでフレーム内間欠受信動作を行い、前記所定の情報が変化した旨を示す判定情報を受信する場合には、少なくとも１フレーム期間分を受信するフレーム間間欠受信動作を行うように前記受信回路の全体又は一部への電源供給を制御することを特徴とするＴＭＣＣ信号受信装置。
【発明の詳細な説明】
【技術分野】
【０００１】
本発明は、地上ディジタルテレビジョン放送受信機に関し、特にＩＳＤＢ−Ｔ方式の地上ディジタルテレビジョン放送のＴＭＣＣ信号受信装置に関するものである。
【背景技術】
【０００２】
地上ディジタルテレビジョン放送伝送方式であるＩＳＤＢ−Ｔ（Ｉｎｔｅｇｒａｔｅｄ Ｓｅｒｖｉｃｅｓ  Ｄｉｇｉｔａｌ Ｂｒｏａｄｃａｓｔｉｎｇ−Ｔｅｒｒｅｓｔｒｉａｌ）では、受信機の復調・復号処理を補助するための制御情報として、ＴＭＣＣ（Ｔｒａｎｓｍｉｓｓｉｏｎ ａｎｄ  Ｍｕｌｔｉｐｌｅｘｉｎｇ Ｃｏｎｆｉｇｕｒａｔｉｏｎ  Ｃｏｎｔｒｏｌ）信号を特定のキャリアを用いて伝送している。そのＴＭＣＣ信号におけるビット割り当てと、伝送するＴＭＣＣ情報の内容を図１に示す。ＴＭＣＣ信号は、図１に示すように、先頭のビットＢ０が差動復調の基準であり、ビットＢ１〜Ｂ１６がフレーム同期信号、ビットＢ１７〜Ｂ１９がセグメント形式識別、ビットＢ２０〜Ｂ１２１が伝送パラメータなどのＴＭＣＣ情報、ビットＢ１２２〜Ｂ２０３が誤り訂正用パリティビットである。即ち、ＴＭＣＣ信号は、２０４ビットで構成され、１シンボルで１ビット、１フレームで２０４ビットが伝送されることになり、毎フレーム繰り返し伝送されている。
【０００３】
ＴＭＣＣ信号受信装置、又はＴＭＣＣ信号受信装置を備える地上ディジタル放送受信機において、このＴＭＣＣ信号の特定のビット（ＴＭＣＣ情報）を低消費電力で受信する従来技術として、フレーム内間欠受信が知られている（例えば、特許文献１参照）。
【０００４】
フレーム内間欠受信のタイミング例を図２に示す。この例では、所望のＴＭＣＣ情報を、Ｂ２６に割り当てられた緊急警報放送用起動フラグ（以下、ＥＷＳ信号と称する。）としている。フレームの先頭シンボル付近でＴＭＣＣ信号受信装置の受信回路を起動して、Ｂ２６のＥＷＳ信号までの合計２７シンボル期間にＴＭＣＣ信号を受信し、Ｂ２７の以降のシンボルに対しては受信回路を停止する。受信回路の起動（電源供給のオン）又は停止（電源供給のオフ）の制御は、受信回路全体に対して実施しても良いし、消費電力の大きい受信回路内の一部の回路を起動、又は停止してもよい。これにより、１フレーム期間に全てのシンボルを受信する場合と比較してＴＭＣＣ信号受信装置の消費電力を低減することができる。
【０００５】
例えば、図２に示すように、地上ディジタルテレビジョン放送の送信モードがモード３でガードインターバル比（ＧＩ比）１／８の場合、１フレームは２３１．３３６ｍｓｅｃである。フレーム内間欠受信では、従来のＴＭＣＣ信号受信装置における受信回路に対して電源供給する継続時間は、例えば３０．６１８ｍｓｅｃ（２７シンボル分）として、ＴＭＣＣ信号のフレームの先頭から受信回路への電源供給を行い、所望のシンボル（例えばＥＷＳ信号）が受信された時点で電源を遮断する。従って、ＥＷＳ信号を受信するには最低１フレーム以上を必要としている。
【０００６】
一方、受信回路の消費電力をより一層低減させる従来技術として、所望のＴＭＣＣ情報（例えば、ＥＷＳ信号）のシンボル以降、数フレーム期間、受信回路を起動せずに、ＴＭＣＣ信号を受信しないようにするフレーム間間欠受信が開示されている（例えば、特許文献１参照）。
【０００７】
また、フレーム内間欠受信ではパリティビットを含む全てのＴＭＣＣ信号を受信しないことから、ＴＭＣＣ情報のＦＥＣ（Ｆｅｅｄｆｏｒｗａｒｄ  Ｅｒｒｏｒ  Ｃｏｒｒｅｃｔｉｏｎ）に用いられている短縮化差集合巡回符号を用いた誤り訂正を行うことができない。このため、所要のビット誤り率を確保するには、何らかの誤り訂正処理を行う必要がある。そこで、フレーム内間欠受信における伝送路ビット誤りを訂正する簡易な方法としてフレーム間で多数決判定する（後述するように、多数決判定処理とも称する。）方法が開示されている（例えば、非特許文献２参照）。
【０００８】
【特許文献１】特開２００６−３１９７７１号公報
【特許文献２】特開２００２−２１７８８３号公報
【発明の開示】
【発明が解決しようとする課題】
【０００９】
ＩＳＤＢ−Ｔ方式の地上ディジタル放送受信において、バッテリーで駆動する携帯端末などで緊急警報放送による自動起動を実現するには、バッテリーの消耗により携帯端末の通話時間や待受時間に与える影響を考慮すると、所望のシンボル（例えばＴＭＣＣ信号に含まれる緊急警報放送用起動フラグのＥＷＳ信号）を可能な限り低消費電力で監視する必要がある。
【００１０】
従来のＴＭＣＣ信号受信装置では、前述したように、受信回路の消費電力を低く抑えるために間欠受信処理する手法が提案されている。即ち、フレーム内間欠受信処理とは、ＴＭＣＣ信号の先頭、即ちＯＦＤＭフレーム（以下、単にフレームと称する。）の先頭からＥＷＳ信号が伝送されるＯＦＤＭシンボル（以下、単にシンボルと称する。）までの期間のみを受信する方法である。また、フレーム間間欠受信処理とは、受信するフレーム期間をフレーム単位で間引いて受信する方法である。尚、以下の説明において、間欠受信処理を単に間欠受信又は間欠受信動作とも称する。
【００１１】
ここで、代表的なＴＭＣＣ信号受信装置の動作について図３〜図５を参照して説明する。図３に示す代表的なＴＭＣＣ信号受信装置は、受信回路１０、ＴＭＣＣ復調回路１１及び制御回路１２からなる。
【００１２】
まず、ＲＦ（Ｒａｄｉｏ  Ｆｒｅｑｕｅｎｃｙ）帯のＩＳＤＢ−Ｔ信号が、受信回路１０に入力される。受信回路１０は、入力されたＲＦ信号を増幅した後、ＩＦ（Ｉｎｔｅｒｍｅｄｉａｔｅ  Ｆｒｅｑｕｅｎｃｙ）帯に周波数変換し、得られたＩＦ信号にＡＧＣ（Ａｕｔｏ Ｇａｉｎ Ｃｏｎｔｒｏｌ）処理を行って信号レベルを一定量に調整した後に出力する。
【００１３】
ＴＭＣＣ復調回路１１は、受信回路１０から供給されるＩＦ信号からＴＭＣＣ信号を復調し、ＴＭＣＣ信号に含まれるＴＭＣＣ情報を出力するとともに、ＩＦ信号から再生されるＯＦＤＭシンボルにタイミングを合わせたシンボルタイミング信号と、ＴＭＣＣ情報から再生されるＯＦＤＭフレームにタイミングを合わせたフレームタイミング信号を出力する。
【００１４】
制御回路１２は、シンボルタイミング信号及びフレームタイミング信号を入力し、フレーム単位で間引いて動作するフレーム間間欠受信処理を行うように受信回路１０への電源供給を制御する。
【００１５】
図４に代表的な受信回路１０の構成例を示す。受信回路１０の構成に関しては、図４に示す構成の他にも様々な構成が考えられるが、その一例として説明する。
【００１６】
ＲＦフィルタ１００は、入力されるＲＦ信号からＩＳＤＢ−Ｔ方式のＲＦ信号のみを抽出するバンドパスフィルタである。ＲＦアンプ（ＡＧＣ）１０１は、抽出したＲＦ信号を所定のレベルまで増幅するように機能する。ミキサ１０２は、ＶＣＯ（Ｖｏｌｔａｇｅ Ｃｏｎｔｒｏｌｌｅｄ Ｏｓｃｉｌｌａｔｏｒ）１０５によって発生される発振周波数を用いて所望のチャンネル周波数の信号のみを増幅するように機能する。ＩＦフィルタ１０３は、不所望のチャンネル周波数の信号を除去するように機能する。ＩＦアンプ（ＡＧＣ）１０４は、抽出したＩＦ信号を所定のレベルまで増幅してアナログＩＦ信号を出力するように機能する。尚、ＶＣＯ１０５によって発生される発振周波数は、ＰＬＬ（Ｐｈａｓｅ  Ｌｏｃｋｅｄ  Ｌｏｏｐ）１０６により、所望のチャンネル周波数と正確に同期するように制御される。
【００１７】
また、ＲＦアンプ（ＡＧＣ）１０１、ＶＣＯ１０５、ＰＬＬ１０６及びＩＦアンプ（ＡＧＣ）１０４は、制御回路１２から出力される所定の間欠受信を行うための間欠受信制御信号により、電源スイッチ１０７を介して電源供給が制御される。
【００１８】
図５に代表的なＴＭＣＣ復調回路１１の構成例を示す。入力されたアナログＩＦ信号は、Ａ／Ｄ変換部１１０に入力される。Ａ／Ｄ変換部１１０は入力されたアナログＩＦ信号をディジタルＩＦ信号に変換して出力する。
【００１９】
Ａ／Ｄ変換部１１０から出力されたディジタルＩＦ信号は、直交復調部１１１に入力される。直交復調部１１１は入力されたディジタルＩＦ信号を直交復調し、等価ベースバンド信号（Ｉ信号及びＱ信号）に変換して出力する。
【００２０】
直交復調部１１１から出力されたＩ信号及びＱ信号はそれぞれ二分配されてＴＭＣＣキャリア復調部１１２とシンボルタイミング再生部１１３に入力される。ＴＭＣＣキャリア復調部１１２は、入力されたＩ信号及びＱ信号に含まれるＴＭＣＣ情報を復調して出力する。
【００２１】
ＴＭＣＣ情報の復調に際しては、ＦＦＴ処理を使用してもよいし、１有効シンボル期間に渡る積分処理を利用してもよい（例えば、特許文献１参照）。シンボルタイミング再生部１１３は入力された等価ベースバンド信号からＯＦＤＭシンボルタイミングを再生して、シンボルタイミング信号を出力する。
【００２２】
シンボルタイミング再生部１１３から出力されたシンボルタイミング信号は、二分配される。二分配されたシンボルタイミング信号の一方は、フレームタイミング再生部１１４に入力される。二分配されたシンボルタイミング信号の他方は、ＴＭＣＣ復調回路１１の出力信号となる。
【００２３】
また、ＴＭＣＣキャリア復調部１１２から出力されたＴＭＣＣ情報も、二分配される。二分配されたＴＭＣＣ情報の一方は、フレームタイミング再生部１１４に入力される。二分配されたＴＭＣＣ情報の他方は、ＴＭＣＣ復調回路１１の出力信号となる。
【００２４】
フレームタイミング再生部１１４は、入力されたシンボルタイミング信号をタイミングの基準として、入力されたＴＭＣＣ情報に含まれる同期信号（Ｂ１〜Ｂ１６）を検出して、ＯＦＤＭフレームタイミングを再生し、出力する。
【００２５】
フレームタイミング再生部１１４から出力されたフレームタイミング信号は、ＴＭＣＣ復調回路１１の出力信号となる。また、ＴＭＣＣ復調回路１１から出力されたシンボルタイミング信号及びフレームタイミング信号は、制御回路１２に入力される。
【００２６】
制御回路１２は、図２の例で示した間欠受信のタイミングで、受信回路１０の全体又は受信回路１０の中で消費電力に関して最も支配的な部分への電源供給のオン又はオフを制御する。これにより、例えば、受信回路１０の消費電力を１フレームあたり２７／２０４に低減することができる。
【００２７】
また、フレーム内間欠受信処理とフレーム間間欠受信処理とを組み合わせたタイミング例を図６に示す。図６に示す例では、まず、１フレーム期間についてフレーム内間欠受信を行い、それ以降受信回路１０への電源供給をオフとし、ｎフレーム期間経過後（ｎは任意の正数）に再び受信回路１０への電源供給をオンとしてフレーム内間欠受信を行う例である。この処理を行うことで受信回路の消費電力を更に低減することができる。
【００２８】
また、前述した多数決判定の一例として、３フレーム分のＴＭＣＣ情報を用いた多数決判定処理を図７に示す。Ｂ２６のＥＷＳ信号をフレーム内間欠受信とフレーム間間欠受信を併用しながら３フレーム分を受信し、得られた３ビットの情報ビット（図７における矢印で指し示すＢ２６の部分）で多数決判定を行う。この方法により伝送路におけるビット誤りを訂正することができる。
【００２９】
このように、フレーム内間欠受信及びフレーム間間欠受信の間欠受信処理と、フレーム間の多数決判定処理とを組み合わせて、消費電力の低減と伝送路ビット誤りの訂正の双方を実現することができる。
【００３０】
しかしながら、特許文献１に開示されるＴＭＣＣ信号受信装置では、フレーム内間欠受信を行っているため、パリティビットを含む全ビットを受信しておらず、伝送路ビット誤りが発生した場合に、ＴＭＣＣ信号のＦＥＣに用いられている短縮化差集合巡回符号を用いた誤り訂正ができない。
【００３１】
そこで、この問題を解決する簡易な手段として、特許文献２に開示されるＴＭＣＣ信号受信装置では、フレーム間多数決判定による誤り訂正を用いる。しかしながら、この方法では、十分な誤り訂正効果を得るためには多数決判定に用いるフレーム数を大きくする必要がある。そのため、この判定結果を得るまでの所要時間が長くなってしまい、緊急時に迅速に情報を伝達すること目的とした緊急警報放送等に適用するには不都合が生じていた。
【００３２】
また、多数決判定の所要時間を短縮するために、フレーム間間欠受信を解除する場合（即ち、連続受信する場合）、又は間欠受信で間引く割合を小さくする場合（即ち、連続受信に近づける場合）には、受信回路の消費電力を十分に小さくすることができなくなる。この結果として、受信回路の低消費電力化とＴＭＣＣ情報の受信及び判定（変化検出）に要する所要時間の短縮化を両立することができないという問題があった。
【００３３】
本発明の目的は、伝送路ビット誤りの訂正処理を行いながら、受信回路の低消費電力化とＴＭＣＣ情報の受信及び判定（変化検出）の所要時間の短縮化を両立するＴＭＣＣ信号受信装置を提供することにある。
【課題を解決するための手段】
【００３４】
本発明のＴＭＣＣ信号受信装置は、１フレーム期間における全てのＴＭＣＣ信号のシンボルを受信し、復調するとともに短縮化差集合巡回符号による誤り訂正を行う処理と、フレーム内間欠受信及びフレーム間間欠受信の処理を適応的に組み合わせることで、低消費電力且つ低遅延時間でのＥＷＳ信号の受信及び監視を実現するものである。
【００３５】
具体的には、受信回路の低消費電力化とＴＭＣＣ情報の変化検出の所要時間の短縮化を両立させる手段として、短縮化差集合巡回符号による誤り訂正を所定のフレームでのみ行うようにフレーム間間欠受信を適用する。更に、所望のＴＭＣＣ情報（例えばＢ２６における緊急警報放送起動フラグ）の変化を検出した場合には、間欠受信（間欠的に受信回路への電源供給をオフにする。）を解除して、続くＴＭＣＣ信号をフレームの最後（Ｂ２０３）まで連続受信し、ＴＭＣＣ信号のＦＥＣに使用されている短縮化差集合巡回符号を用いた誤り訂正処理を行い、検出したＴＭＣＣ情報の変化が正しいかどうか判定し、この判定後の所定のＴＭＣＣ信号の情報を出力するようにした。
【００３６】
即ち、本発明によるＴＭＣＣ信号受信装置は、地上ディジタルテレビジョン放送のＴＭＣＣ信号を受信するＴＭＣＣ信号受信装置であって、ＲＦ帯の受信信号を入力し、ＩＦ信号に変換して出力する受信回路と、前記ＩＦ信号からＴＭＣＣ信号を復調し、前記ＴＭＣＣ信号に含まれるＴＭＣＣ情報を出力するとともに、前記ＩＦ信号から再生されるシンボルタイミング信号、及び前記ＴＭＣＣ情報から再生されるフレームタイミング信号を出力するＴＭＣＣ復調回路と、前記ＴＭＣＣ復調回路から出力される少なくとも１フレーム期間のＴＭＣＣ情報を入力し、前記ＴＭＣＣ情報の短縮化差集合巡回符号を復号してＴＭＣＣ情報の誤りを訂正する誤り訂正回路と、前記ＴＭＣＣ復調回路から供給されるＴＭＣＣ情報から該ＴＭＣＣ情報に含まれる所定の情報の変化を判定し、当該判定結果を判定情報として前記制御回路に出力するとともに、前記誤り訂正回路から供給される誤り訂正後のＴＭＣＣ情報の中から当該所定の情報を抽出して出力するＴＭＣＣ情報判定抽出回路と、前記ＴＭＣＣ復調回路から供給されるシンボルタイミング信号及びフレームタイミング信号に基づいてフレーム間間欠受信動作を行うように前記受信回路の全体又は一部への電源供給を制御するとともに、前記ＴＭＣＣ情報判定抽出回路から供給される前記所定の情報が変化した旨を示す判定情報に従って、前記誤り訂正回路を動作状態とするように前記誤り訂正回路の全体又は一部への電源供給を制御する制御回路と、を備えることを特徴とする。
【００３７】
これにより、大きな信号処理遅延を生ずることなく、ＴＭＣＣ信号に含まれる所望の情報を高い信頼性で得ることができるとともに、装置全体の低消費電力化を実現することができる。
【００４０】
本発明によるＴＭＣＣ信号受信装置において、前記制御回路は、前記所定の情報が変化した旨を示すまで前記所定の情報を受信するタイミングでフレーム内間欠受信動作を行い、前記所定の情報が変化した旨を示す判定情報を受信する場合には、少なくとも１フレーム期間分を受信するフレーム間間欠受信動作を行うように前記受信回路の全体又は一部への電源供給を制御することを特徴とする。これにより、より一層の低消費電力化を実現することができる。
【発明の効果】
【００４１】
本発明のＴＭＣＣ信号受信装置によれば、短縮化差集合巡回符号による誤り訂正を行うことで、フレーム間多数決判定を行わなくてもよくなり、この場合には、ＴＭＣＣ情報の変化の検出及び出力に要する時間を短縮化することができる。また、フレーム内間欠受信及びフレーム間間欠受信による受信回路の低消費電力化も併せて実現することもできる。
【００４２】
また、消費電力が比較的大きい受信回路などへの電源供給をフレーム間で間欠的に行うフレーム間間欠受信処理（好適に、フレーム内間欠受信処理を組み合わせることができる）と、受信したＴＭＣＣ情報の変化を検出した場合にのみ、短縮化差集合巡回符号による伝送路ビット誤りの訂正処理を行うことで、受信装置の消費電力の大幅な低減と、所望のＴＭＣＣ信号の情報の変化の判定及びその結果出力に要する時間の短縮化を両立することが可能となる。
【発明を実施するための最良の形態】
【００４３】
本発明の理解を容易にするために、ＴＭＣＣ情報のＢ２６に割り当てられている緊急警報放送用起動フラグ（ＥＷＳ信号）が伝送されるシンボル部分を所望の情報として説明する。Ｂ２６は通常、「０」であるが、大地震の警戒宣言や津波警報が発令した際に緊急警報放送の開始とともに「１」に変化し、放送継続中は常に「１」である。また、発明の理解を容易とするために、各構成要素で必要とされる各種タイミング信号のうち、本発明の特長を示すために必要とされる信号のみを図示する。
【００４４】
まず、本発明による実施例１のＴＭＣＣ信号受信装置について説明する。
【００４５】
（実施例１）
図８に本発明による実施例１のＴＭＣＣ信号受信装置の構成を示す。実施例１のＴＭＣＣ信号受信装置は、ＩＳＤＢ−Ｔ方式の地上ディジタルテレビジョン放送信号に含まれるＴＭＣＣ信号を受信して復調し、ＴＭＣＣ情報を出力する装置である。実施例１のＴＭＣＣ信号受信装置は、受信回路２０、ＴＭＣＣ復調回路２１、誤り訂正回路２２、ＴＭＣＣ情報抽出回路２３及び制御回路２４を備える。受信回路２０及びＴＭＣＣ復調回路２１は、前述した図３〜５で説明した受信回路１０及びＴＭＣＣ復調回路１１と同様の機能を有するが、実施例１のＴＭＣＣ信号受信装置は、誤り訂正回路２２、ＴＭＣＣ情報抽出回路２３、及び本発明の実施例１における特有の動作をする制御回路２４を備える点で相違する。
【００４６】
受信回路２０は、受信アンテナを経て受信した該放送信号の無線周波数（ＲＦ）帯の受信信号を中間周波数（ＩＦ）信号に変換して出力する。
【００４７】
ＴＭＣＣ復調回路２１は、受信回路２０からＩＦ信号を入力し、ＩＦ信号からＴＭＣＣ信号を復調し、ＴＭＣＣ信号に含まれるＴＭＣＣ情報を出力する。また、ＴＭＣＣ復調回路２１は、図３〜５で説明した代表的なＴＭＣＣ信号受信装置のものと同様に、シンボル同期及びフレーム同期の双方を確立し、ＩＦ信号から再生されるシンボルタイミング信号、及びＴＭＣＣ情報から再生されるフレームタイミング信号を出力する。
【００４８】
尚、シンボルタイミング信号は、ＯＦＤＭ信号のＯＦＤＭシンボルにタイミングを合わせた信号である。シンボルタイミング信号は、シンボル単位でトリガ発生するパルス信号とすることができ、ＴＭＣＣ復調回路２１は、シンボルタイミング信号を生成するために、例えばシンボルタイミング信号より高いもしくは同一の周波数のクロック発生器とカウンタを備え、クロック発生器で発生したクロックをカウンタでカウントし、カウント値がシンボル単位の値となる毎にパルスを発生させ、１フレームの２０４シンボル分をカウントした後に、カウント値をリセットすることを繰り返す。
【００４９】
また、フレームタイミング信号は、ＯＦＤＭ信号のＯＦＤＭフレームにタイミングを合わせた信号である。フレームタイミング信号は、ＴＭＣＣ情報の同期信号（ビットＢ１〜Ｂ１６に割り当てられる）を用いて再生され、フレーム単位でトリガ発生するパルス信号とすることができる。ＴＭＣＣ復調回路２１は、フレームタイミング信号を生成するために、例えばフレームタイミング信号より高いもしくは同一の周波数のクロック発生器（好適には、シンボルタイミング信号を再生するためのクロック発生器と同一のものを用いる。）とカウンタを備え、クロック発生器で発生したクロックをカウンタでカウントし、カウント値がフレームの先頭の値となる毎にパルスを発生させ、１フレーム毎にカウント値をリセットすることを繰り返す。
【００５０】
誤り訂正回路２２は、ＴＭＣＣ復調回路２１から出力される少なくとも１フレーム期間のＴＭＣＣ情報を入力し、ＴＭＣＣ情報の短縮化差集合巡回符号を復号してＴＭＣＣ情報の誤りを訂正する機能を有する。尚、誤り訂正回路２２は、好適に、フレーム間間欠受信制御信号による受信回路２０のフレーム間間欠動作を経て、ＴＭＣＣ復調回路２１から供給される１フレーム期間のＴＭＣＣ情報の誤りを訂正するように動作する。
【００５１】
ＴＭＣＣ情報抽出回路２３は、誤り訂正回路２２から誤り訂正後のＴＭＣＣ情報を入力し、該ＴＭＣＣ情報に含まれる所定の情報（例えば、ＥＷＳ信号）を抽出して出力する。
【００５２】
制御回路２４は、ＴＭＣＣ復調回路２１からシンボルタイミング信号及びフレームタイミング信号を入力し、少なくとも１フレーム期間のＴＭＣＣ情報を受信するタイミングでフレーム間間欠受信動作を行うように受信回路２０の全体又は一部への電源供給を制御するためのフレーム間間欠受信制御信号を出力する。尚、本実施例におけるフレーム間間欠受信制御信号は、図３及び４で説明した間欠受信制御信号に対応するものとできる。
【００５３】
以下、図８を参照して実施例１のＴＭＣＣ信号受信装置の動作を詳細に説明する。
【００５４】
ＴＭＣＣ復調回路２１から出力されたシンボルタイミング信号とフレームタイミング信号は、制御回路２４に入力される。制御回路２４は、入力されたシンボルタイミング信号とフレームタイミング信号から受信回路２０のフレーム間間欠受信制御信号を生成して出力する。制御回路２４から出力されたフレーム間間欠受信制御信号は、受信回路２０に入力される。
【００５５】
受信回路２０は、入力されたフレーム間間欠受信制御信号に基づき、入力されたＲＦ信号を１フレーム期間受信処理し、ｎフレーム期間（ｎは任意の正数）受信処理しない（即ち、非受信）とするフレーム間間欠受信動作を繰り返す。この時、ＲＦ信号を受信処理しないｎフレーム期間は、受信回路２０の全体又は受信回路２０の中で消費電力の大きい一部の回路への電源供給をオフにして、受信回路２０の消費電力を低減する。
【００５６】
ＴＭＣＣ復調回路２１から出力されたＴＭＣＣ情報は、誤り訂正回路２２に入力される。誤り訂正回路２２は、入力された２０４ビット（パリティビットを含む）の短縮化差集合巡回符号化されたＴＭＣＣ情報の誤り訂正を行い、出力する。誤り訂正回路２２から出力された誤り訂正後のＴＭＣＣ情報は、ＴＭＣＣ情報抽出回路２３に入力される。
【００５７】
ＴＭＣＣ情報抽出回路２３は、入力された誤り訂正後のＴＭＣＣ情報全体の中から、所定の情報（即ち、Ｂ２６のＥＷＳ信号）を抽出して出力する。以上の処理のタイミング例を図９に示す。実施例１のＴＭＣＣ信号受信装置によれば、前述したフレーム間多数決判定処理による誤り訂正を用いる場合と比較して（図７参照）、１フレーム期間分のみの受信動作で、短縮化差集合巡回符号の誤り訂正を行うことができるので、受信回路２０の消費電力を低減することができるとともに、誤り訂正に要する時間を短縮することが可能となる。
【００５８】
次に、本発明による実施例２のＴＭＣＣ信号受信装置について説明する。
【００５９】
（実施例２）
図１０に、本発明による実施例２のＴＭＣＣ信号受信装置の構成を示す。実施例２のＴＭＣＣ信号受信装置は、受信回路３０、ＴＭＣＣ復調回路３１、誤り訂正回路３２、ＴＭＣＣ情報判定抽出回路３３及び制御回路３４を備える。尚、実施例２における、受信回路３０、ＴＭＣＣ復調回路３１、誤り訂正回路３２及び制御回路３４の各々は、実施例１における、受信回路２０、ＴＭＣＣ復調回路２１、誤り訂正回路２２及び制御回路２４の各々の機能を具備することができ、その詳細な説明は省略する。ただし、実施例２では、ＴＭＣＣ情報抽出回路２３に代えてＴＭＣＣ情報判定抽出回路３３を備える点と、誤り訂正回路３２及び制御回路３４が更なる機能を具備する点で相違する。
【００６０】
即ち、図１０において、ＴＭＣＣ復調回路３１から出力されたＴＭＣＣ情報は、二分配されて、一方は誤り訂正回路３２に、他方はＴＭＣＣ情報判定抽出回路３３に入力される。誤り訂正回路３２は、通常は電源供給がオフの状態又は電源がスタンバイモードの状態にあり、制御回路３４から供給される制御信号に基づいて電源供給がオンの状態にされ（即ち、通常の連続受信動作に移行して）、誤り訂正動作を行う機能を具備する。このようにして、誤り訂正回路３２から出力された誤り訂正後のＴＭＣＣ情報は、ＴＭＣＣ情報判定抽出回路３３に入力される。
【００６１】
ＴＭＣＣ情報判定抽出回路３３は、ＴＭＣＣ復調回路３１から供給されるＴＭＣＣ情報から該ＴＭＣＣ情報に含まれる所定の情報（例えば、ＥＷＳ信号）の変化を判定し、当該判定結果を判定情報として制御回路３４に出力するとともに、誤り訂正回路３２から供給される誤り訂正後のＴＭＣＣ情報の中から当該所定の情報（例えば、ＥＷＳ信号）を抽出して出力する。
【００６２】
制御回路３４は、ＴＭＣＣ復調回路３１から供給されるシンボルタイミング信号及びフレームタイミング信号に基づいてフレーム間間欠受信動作を行うよう受信回路３０の全体又は一部への電源供給を制御するとともに、ＴＭＣＣ情報判定抽出回路３３から供給される所定の情報（例えば、ＥＷＳ信号）が変化した旨を示す判定情報に従って、誤り訂正回路３２を動作状態とするように、誤り訂正回路３２の全体又は一部への電源供給を制御する制御信号を誤り訂正回路３２に出力する。
【００６３】
以下、図１０を参照して、実施例２のＴＭＣＣ信号受信装置の動作を詳細に説明する。
【００６４】
ＴＭＣＣ情報判定抽出回路３３に入力された誤り訂正前のＴＭＣＣ情報における所定の情報（例えば、Ｂ２６のＥＷＳ信号）に変化が無い場合（「０」が継続している場合）、ＴＭＣＣ情報判定抽出回路３３は、当該変化が無い旨を示す判定結果（例えば「０」）に対応する判定情報を制御回路３４に供給するとともに、ＴＭＣＣ情報判定抽出回路３３は、誤り訂正前のＴＭＣＣ情報の中から当該所定の情報（例えば、ＥＷＳ信号）を抽出して出力する。
【００６５】
制御回路３４は、ＴＭＣＣ情報判定抽出回路３３から供給される当該判定情報により、所定の情報（例えば、Ｂ２６のＥＷＳ信号）に変化が無いことを認識した場合、誤り訂正回路３２を制御信号によって制御して、誤り訂正回路３２への電源供給がオフである状態（又は電源がスタンバイモードとなっている状態）を継続させる。
【００６６】
一方、ＴＭＣＣ情報判定抽出回路３３に入力された誤り訂正前のＴＭＣＣ情報における所定の情報（例えば、Ｂ２６のＥＷＳ信号）が「０」から「１」に変化した場合、ＴＭＣＣ情報判定抽出回路３３は、当該変化した旨を示す判定情報を制御回路３４に供給する。尚、本実施例において、当該変化した旨を示す判定情報は、制御回路３４にのみ供給され、対応するＴＭＣＣ情報（例えば、ＥＷＳ信号の情報）として外部出力する必要はない。
【００６７】
制御回路３４は、ＴＭＣＣ情報判定回路３３から供給される当該判定情報により、所定の情報（例えば、Ｂ２６のＥＷＳ信号）が「０」から「１」に変化したことを認識した場合、誤り訂正回路３２を制御信号によって制御して、誤り訂正回路３２への電源供給をオンの状態にし（又は通常の連続受信動作に移行して）、所定の誤り訂正処理を実施させる。
【００６８】
誤り訂正回路３２から出力された誤り訂正後のＴＭＣＣ情報は、ＴＭＣＣ情報判定抽出回路３３に入力される。ＴＭＣＣ情報判定抽出回路３３は、入力された誤り訂正後のＴＭＣＣ情報全体の中から、所定の情報（例えば、Ｂ２６のＥＷＳ信号）を抽出し、所望されるＴＭＣＣ情報として外部出力する。ここで、誤り訂正回路３２の構成に応じて、適宜、動作とタイミングを適合させることができる。
【００６９】
通常、誤り訂正回路３２がブロック符号の誤り訂正として構成される場合には、入力されたビット列を、一旦、符号長と同じ記憶長のシフトレジスタ等のメモリ回路に格納した後に訂正処理を行う。誤り訂正回路３２への電源供給が外部からの制御でオフされた場合に、そのシフトレジスタ等のメモリ回路の動作も停止されると、例えばＢ２６の変化を検出した後で、誤り訂正回路３２への電源供給をオンにしても、そのＢ２６以前のＴＭＣＣ情報（Ｂ０〜Ｂ２５）は失われることになる。このため、それ以降のＢ２６〜Ｂ２０３を蓄積しても符号長分の情報が揃わず、誤り訂正処理を行うことができない。従って、誤り訂正回路３２は、外部からの制御で誤り訂正回路３２への電源供給がオフされ、且つそのシフトレジスタ等のメモリ回路の動作が停止される場合には、誤り訂正回路３２のフレーム間間欠受信処理を一旦解除して連続受信を行い、次のフレームのＴＭＣＣ情報の全てを誤り訂正回路３２に入力した後に誤り訂正処理を行うように動作する。この場合のタイミング例は、図１１に示している。
【００７０】
一方、誤り訂正回路３２が、外部からの制御で誤り訂正回路３２への電源供給がオフされた場合でも、そのシフトレジスタ等のメモリ回路への電源供給をオフにすることなく、ＴＭＣＣ復調回路３１からのＴＭＣＣ情報が供給されている期間及び誤り訂正処理を行っている期間、メモリ回路の動作を維持する場合には、誤り訂正回路３２は、そのＢ２６の変化をＴＭＣＣ情報判定抽出回路３３によって判定及び検出して、誤り訂正回路３２によって当該フレームの最後（Ｂ２０３）までＴＭＣＣ情報を入力した後に誤り訂正処理を行うことができる。シフトレジスタ等のメモリ回路の消費電力が十分に小さい場合には電源供給をオフにする必要がないので、ＴＭＣＣ情報の変化を判定及び検出までに要する時間をより短くすることができ、有利となる。この場合のタイミング例は、図１２に示している。
【００７１】
実施例２のＴＭＣＣ信号受信装置によれば、比較的回路規模が大きく、消費電力も大きい誤り訂正回路３２を、毎回（即ち、受信回路３０を起動させる度に）動作させる必要がなくなるので、実施例１のＴＭＣＣ信号受信装置と比較して、更に消費電力を低減させることが可能となる。
【００７２】
尚、実施例２のＴＭＣＣ情報判定抽出回路３３と実施例１のＴＭＣＣ情報抽出回路２３とを区別して説明したが、実施例１のＴＭＣＣ情報抽出回路２３が、ＴＭＣＣ復調回路２１から供給されるＴＭＣＣ情報から該ＴＭＣＣ情報に含まれる所定の情報（例えば、ＥＷＳ信号）の変化を判定し、当該判定結果を判定情報として制御回路２４に出力するように構成してもよい。
【００７３】
次に、本発明による実施例３のＴＭＣＣ信号受信装置について説明する。
【００７４】
（実施例３）
図１３に、本発明による実施例３のＴＭＣＣ信号受信装置の構成を示す。実施例３のＴＭＣＣ信号受信装置は、実施例２のＴＭＣＣ信号受信装置と同様の構成を有するが、制御回路３４が更なる機能を具備する点で相違する。具体的には、実施例２の制御回路３４の動作（受信回路３０の間欠受信の制御方法）がフレーム間間欠受信のみであるのに対し、実施例３の制御回路３４の動作（受信回路３０の間欠受信の制御方法）は、フレーム間間欠受信に加えてフレーム内間欠受信を併用する。
【００７５】
即ち、実施例３の制御回路３４は、所定の情報（例えば、ＥＷＳ信号）が変化した旨を示すまで該所定の情報を受信するタイミングでフレーム内間欠受信動作を行い、当該所定の情報が変化した旨を示す判定情報を受信する場合には、少なくとも１フレーム期間分を受信するフレーム間間欠受信動作を行うように受信回路３０の全体又は一部への電源供給を制御する。
【００７６】
以下、図１３に示す実施例３のＴＭＣＣ信号受信装置の動作について説明する。
【００７７】
実施例３のＴＭＣＣ信号受信装置は、誤り訂正回路３２の中で、入力される２０４ビットのＴＭＣＣ情報を一旦記憶するシフトレジスタ等のメモリ回路への電源供給を行い、ＴＭＣＣ復調回路３１からＴＭＣＣ情報が供給されている期間及び誤り訂正処理を行っている期間、動作可能の状態を維持し、所定の動作を行う。
【００７８】
まず、ＴＭＣＣ情報判定抽出回路３３は、入力された誤り訂正前のＴＭＣＣ情報のうち、所定の情報（例えば、Ｂ２６のＥＷＳ信号）に変化が無いと判定した場合（「０」が継続している場合）、当該変化が無い旨を示す判定結果（例えば「０」）に対応する判定情報を制御回路３４に供給し、所望されるＴＭＣＣ情報（例えば、ＥＷＳ信号の情報）を抽出して外部出力する。
【００７９】
制御回路３４は、ＴＭＣＣ情報判定抽出回路３３から供給される当該判定情報により、所定の情報（例えば、Ｂ２６のＥＷＳ信号）に変化が無いことを認識した時点で、受信回路３０の全体又は受信回路３０の中で消費電力が大きい一部の回路への電源供給をオフにして、フレーム内間欠受信及びフレーム間間欠受信の動作を継続する。尚、受信回路３０の通常動作は、フレーム内及びフレーム間間欠受信を併用する間欠受信動作するように設定されているものとする。更に、制御回路３４は、誤り訂正回路３２を制御信号によって制御して、誤り訂正回路３２への電源供給がオフの状態（又は電源がスタンバイモードとなっている状態）を継続させる。
【００８０】
一方、ＴＭＣＣ情報判定抽出回路３３は、入力された誤り訂正前のＴＭＣＣ情報のうち、所定の情報（例えば、Ｂ２６のＥＷＳ信号）が「０」から「１」に変化したと判定した場合には、当該変化した旨を示す判定情報を制御回路３４に供給する。尚、本実施例において、当該変化した旨を示す判定情報は、制御回路３４にのみ供給され、所望されるＴＭＣＣ情報（例えば、ＥＷＳ信号の情報）を抽出して外部出力する必要はない。更に、制御回路３４は、ＴＭＣＣ情報判定抽出回路３３から供給される当該判定情報により、所定の情報（例えば、Ｂ２６のＥＷＳ信号）が「０」から「１」に変化したことを認識して、受信回路３０の全体又は受信回路３０の中で消費電力が大きい一部の回路への電源供給を、そのままオン状態とし、１フレーム期間受信処理した後に、誤り訂正回路３２を制御信号によって制御して、誤り訂正回路３２への電源供給を開始し（又は、通常の連続受信動作に移行して）、所定の誤り訂正処理を実施させる。
【００８１】
更に、ＴＭＣＣ情報判定抽出回路３３は、誤り訂正回路３２から供給される誤り訂正後のＴＭＣＣ情報における所定の情報（例えば、Ｂ２６のＥＷＳ信号）の状態を監視し、その監視結果としての変化（例えば、Ｂ２６のＥＷＳ信号が「１」に変化）を検出した時点で、その変化した旨を示す判定情報（例えば「１」）を制御回路３４に供給するとともに、所望されるＴＭＣＣ情報（例えば、ＥＷＳ信号の情報）を抽出して外部出力する。
【００８２】
一方、ＴＭＣＣ情報判定抽出回路３３は、誤り訂正回路３５から供給される誤り訂正後のＴＭＣＣ情報のうち、所定の情報（例えば、Ｂ２６のＥＷＳ信号）の監視結果として変化（例えば、Ｂ２６のＥＷＳ信号が「０」に維持されている。）がないことを検出した場合には、ＴＭＣＣ復調回路３１から得られる誤り訂正前のＴＭＣＣ情報から検出した結果が誤りであったと判断し、当該誤り訂正後のＴＭＣＣ情報から検出した結果を採用するようにして、所望される情報（例えば、ＥＷＳ信号の情報）を抽出して外部出力すると同時に、当該判定情報を制御回路３４に供給する。
【００８３】
制御回路３４は、ＴＭＣＣ情報判定回路３３から供給される判定情報により、所定の情報（例えば、Ｂ２６のＥＷＳ信号）に変化が無いことを検出した時点で、受信回路３０の全体又は受信回路３０の中で消費電力が大きい一部の回路への電源供給をオフにして、フレーム内間欠受信及びフレーム間間欠受信の動作に移行すると同時に、誤り訂正回路３２を制御信号により制御して、誤り訂正回路３２への電源供給をオフの状態（又は電源がスタンバイモードとなっている状態）にする。
【００８４】
この実施例３のタイミング例は、図１４に示されている。図１４において、誤り訂正回路３２が、外部からの制御で電源供給をオフされた際に、前記シフトレジスタ等のメモリ回路の動作も停止させる場合には、ＴＭＣＣ情報判定抽出回路３３から外部出力される所望される情報（例えば、ＥＷＳ信号の情報）の変化の判定結果の判定情報が図１４のタイミング例より１フレーム分遅延することとなる。
【００８５】
実施例３のＴＭＣＣ信号受信装置によれば、フレーム間間欠受信に加えてフレーム内間欠受信も適用するので、実施例２のＴＭＣＣ信号受信装置と比較して、更に消費電力を低減させることが可能となる。
【００８６】
上述の実施例については代表的な例として説明したが、本発明の趣旨及び範囲内で、多くの変形及び置換することができることは当業者に明らかである。例えば、ＴＭＣＣ信号受信装置は、他の信号受信装置と組み合わせることができ、地上ディジタルテレビジョン放送受信機にそのようなＴＭＣＣ信号受信装置を設けることができる。また、ＩＳＤＢ−Ｔ方式に準ずる如何なる方式にも本発明の要素を適用可能である。従って、本発明は、上述の実施例によって制限するものと解するべきではなく、特許請求の範囲によってのみ制限される。
【産業上の利用可能性】
【００８７】
本発明によるＴＭＣＣ信号受信装置は、所望の信号を低消費電力で監視することができ、特に緊急警報放送用の信号を用いる伝送システムに有用である。
【図面の簡単な説明】
【００８８】
【図１】ＴＭＣＣ信号におけるビット割り当てと伝送するＴＭＣＣ情報の内容を示す図である。
【図２】フレーム内間欠受信処理のタイミング例を示す図である。
【図３】代表的なＴＭＣＣ信号受信装置のブロック図である。
【図４】代表的な受信回路の構成例を示す図である。
【図５】代表的なＴＭＣＣ復調回路の構成例を示す図である。
【図６】フレーム間間欠受信処理のタイミング例を示す図である。
【図７】３フレーム間での多数決判定処理の一例を示す図である。
【図８】本発明による実施例１のＴＭＣＣ信号受信装置の構成を示す図である。
【図９】誤り訂正処理のタイミング例を示す図である。
【図１０】本発明による実施例２のＴＭＣＣ信号受信装置の構成を示す図である。
【図１１】誤り訂正処理のタイミング例を示す図である。
【図１２】誤り訂正処理のタイミング例を示す図である。
【図１３】本発明による実施例３のＴＭＣＣ信号受信装置の構成を示す図である。
【図１４】誤り訂正処理のタイミング例を示す図である。
【符号の説明】
【００８９】
１０  受信回路
１１  ＴＭＣＣ復調回路
１２  制御回路
２０  受信回路
２１  ＴＭＣＣ復調回路
２２  誤り訂正回路
２３  ＴＭＣＣ情報抽出回路
２４  制御回路
３０  受信回路
３１  ＴＭＣＣ復調回路
３２  誤り訂正回路
３３  ＴＭＣＣ情報判定抽出回路
３４  制御回路
１００  ＲＦフィルタ
１０１  ＲＦアンプ（ＡＧＣ）
１０２  ミキサ
１０３  ＩＦフィルタ
１０４  ＩＦアンプ（ＡＧＣ）
１０５  ＶＣＯ
１０６  ＰＬＬ
１０７  電源スイッチ
１１０  Ａ／Ｄ変換部
１１１  直交復調部
１１２  ＴＭＣＣキャリア復調部
１１３  シンボルタイミング再生部
１１４  フレームタイミング再生部
【図１】
0004814868.tif 000002
【図２】
0004814868.tif 000003
【図３】
0004814868.tif 000004
【図４】
0004814868.tif 000005
【図５】
0004814868.tif 000006
【図６】
0004814868.tif 000007
【図７】
0004814868.tif 000008
【図８】
0004814868.tif 000009
【図９】
0004814868.tif 000010
【図１０】
0004814868.tif 000011
【図１１】
0004814868.tif 000012
【図１２】
0004814868.tif 000013
【図１３】
0004814868.tif 000014
【図１４】
0004814868.tif 000015